(57)【要約】【課題】逆起電力発電モータを、動力モータと発電モータとして同時に使用すると回転力が下がる。【解決手段】動力モータの固定コイル、入力線を繋いだ逆起電力発電の回転励磁コイルと、出力線を繋いだ起電力発電コイルとを繋いでいる逆起電力引き込み結線部を外す、外したコイル末端導線を起電力発電コイルの中性点として三本束にしてスター結線する、また、１相出力線の中性点を２相出力線端子に結線、２相出力線の中性点を３相出力線端子に結線、３相出力線の中性点を１相の出力線の端子に結線、デルタ結線しますと回転力が上がります、デルタ結線した入力線と出力線を端子台で三相導線で繋ぐと双方の固定コイルが回転コイルに励磁されて強力な回転力になる、インバータは回転励磁コイルで発電された逆起電力を再利用するインバータ、また、蓄電できるインバータを使用する。【選択図】図１
2011160595.tif 000002
【特許請求の範囲】
【請求項１】
起電力発電モータはインバータ三相交流２００Ｖの出力電流を起電力発電モータの三相入力線に流して回転し、同時に発電された起電力の三相交流電流が起電力発電モータの出力線から出力します、４極起電力発電モータのステータ  ヨークの分布巻コイルを固定するスロット数は２４スロットと４８スロットが有ります、６極起電力発電モータのステータ  ヨークの分布巻コイルを固定するスロット数は３６スロットと７２スロットが有ります、４極と６極の起電力発電モータのロータ部には、永久磁石ロータ、電磁石ロータ、永久磁石挿入鉄芯ロータ、かご型鉄芯ロータ、の種類が有ります。起電力発電モータのステータ  ヨークの固定コイル配設を解りやすくするために、回転軸側から固定コイルを見て右回りで番号を付けました、４極起電力発電モータは１相、２相、３相、とも各相１番コイルから４番コイルとし、スロット番号も右回りの通し番号１から２４、および１から４８とし、６極起電力発電モータは１相、２相、３相、とも各相１番コイルから６番コイルとします、スロット番号も右回りの通し番号１から３６、および１から７２とします、コイル番号の奇数番号が入力線を繋いだ回転励磁コイルです、偶数番号が出力線を繋いだコイルで起電力発電コイルに成ります。４極と６極の起電力発電モータのステータ  ヨークに配設した１相、２相、３相、とも１番固定コイルは同番号のスロットに成ります、１相１番コイルを回転軸側から見て左側スロットを１として右回りでスロットに通し番号を付けて各相の１番コイルを決めます、１相１番コイルはどのコイルを選択しても良いです、選んだ１相１番コイルは１と６のスロットに成ります、２相１番コイルは５と１０のスロットに成ります、３相１番コイルは９と１４のスロットに成ります、４極と６極の起電力発電モータの入力線は各相とも１番コイルにします、１番コイルの右側スロット末端導線を入力線に選んだら、ステータ  ヨークに配設した固定コイルは全コイル右巻き配線します、また、１番コイルの左側スロット末端導線を入力線に選んだら、ステータ  ヨークに配設した固定コイルは全コイル左巻き配線します。配列には直列配線および並列配線が有ります、固定コイルは左右を回転軸側から見た方向とし、４極２４スロットの１相入力線を繋いだコイルの、直列配線は１番コイル１と６で６スロットのコイル末端を入力線として、１スロットの末端導線を３番コイル１３と１８の１８スロットの末端導線に結線、１３スロットのコイル末端導線を中性点とする、この様に、コイルの巻き方向を変えずに入力線から流れた電気が順番にコイルを通過して中性点まで到達するようにする、並列配線は１番コイル１と６、３番コイル１３と１８、のコイル右側６と１８のスロット末端導線を結線、結線した導線の中央に入力線を結線、コイルの左側１と１３のスロット末端導線を結線、結線した導線の中央に中性点となる導線を結線、この様に、コイルの巻き方向を変えずに入力線から流れた電気が配線したコイルに同時に電気が流れ中性点まで到達するように配線します。４極起電力発電モータのステータ  ヨーク固定コイルの各相の配設と配線をコイル番号と４極で１から２４スロット番号とし、入力線を繋いだコイルを直列配線、出力線を繋い���コイルを直列配線とし、コイル配線は１相１番コイル６スロット末端導線を１相入力線とする、１スロット末端導線を３番コイル１８スロット末端導線と結線、１３スロット末端導線を１相中性点とする、１相２番コイル１２スロット末端導線を起電力発電コイルの中性点とする、７スロット末端導線を４番コイル２４スロット末端導線と結線、１９スロット末端導線を出力線とする。２相１番コイル１０スロット末端導線を２相入力線とする、５スロット末端導線を３番コイル２２スロット末端導線と結線、１７スロット末端導線を２相中性点とする、２相２番コイル１６スロット末端導線を起電力発電コイルの中性点とする、１１スロット末端導線を４番コイル４スロット末端導線と結線、２３スロット末端導線を２相出力線とします。３相１番コイル１４スロット末端導線を３相入力線とする、９スロット末端導線を３番コイル２スロット末端導線と結線、２１スロット末端導線を３相中性点とする、３相２番コイル２０スロット末端導線を起電力発電コイルの中性点とする、１５スロット末端導線を４番コイル８スロット末端導線と結線、３スロット末端導線を３相出力線とします。６極起電力発電モータのステータ  ヨーク固定コイルの各相の配設と配線をコイル番号と６極で１から３６スロット番号とし、入力線を繋いだコイルを直列配線、出力線を繋いだコイルを直列配線とし、コイル配線は１相１番コイル１スロット末端導線を１相入力線とする、６スロット末端導線を３番コイル１３スロット末端導線と結線、１８スロット末端導線を５番コイルの２５スロット末端導線と結線、３０スロット末端導線を１相中性点とします、１相２番コイル７スロット末端導線を起電力発電コイルの中性点とする、１２スロット末端導線を４番コイル１９スロット末端導線に結線、２４スロット末端導線を６番コイル３１スロット末端導線と結線、３６スロット末端導線を１相出力線とします。２相１番コイル５スロット末端導線を２相入力線とします、１０スロット末端導線を３番コイル１７スロット末端導線と結線、２２スロット末端導線を５番コイル２９スロット末端導線と結線、３４スロット末端導線を２相中性点とします、２相２番コイル１１スロット末端導線を起電力発電コイルの中性点とする、１６スロット末端導線を４番コイル２３スロット末端導線と結線、２８スロット末端導線を６番コイル３５スロット末端導線と結線、４スロット末端導線を２相出力線とします。３相１番コイル９スロット末端導線を３相入力線とする、１４スロット末端導線を３番コイル２１スロット末端導線と結線、２６スロット末端導線を５番コイル３３スロット末端導線と結線、２スロット末端導線を中性点とする、３相２番コイル１５スロット末端導線を起電力発電コイルの中性点とする、２０スロット末端導線を４番コイル２７スロット末端導線と結線、３２スロット末端導線を６番コイル３スロット末端導線と結線、８スロット末端導線を３相出力線とします、４極と６極の起電力発電モータの出力線発電コイルの中性点はスター結線かデルタ結線、入力線回転励磁コイルは１相の中性点を２相の入力線と結合、２相の中性点を３相の入力線と結合、３相の中性点を１相の入力線と結合するデルタ結線と、中性点を三本束��したスター結線がある。起電力の発生と出力の仕方は４極と６極の起電力発電モータは同じです、１相の入力線を繋いだコイルの回転励磁がゼロボルトに電圧降下中に、２相の入力線を繋いだコイルが回転励磁され、ロータが２相固定コイルまで回転この時に１相の出力線を繋いだコイルは起電力を発電して出力線方向へ流れ出力させる、２相、３相、も同じ回転と発電を連続して行い、安定した回転と安定した起電力が出力する、固定コイルの配設と配線の発明です。
【請求項２】
４極と６極の起電力発電モータのステータ  ヨークに配設した固定コイル、の１相と３相が同巻コイル配線で２相が逆巻きコイル配線です、固定コイルの右側と左側は回転軸側から見た方向とします、固定コイル番号とスロット番号は右回りで付けます、１相、２相、３相、の１番コイルは４極と６極の起電力発電モータは同一番号のスロットに成ります、１相の１番コイルはどのコイルを選択しても良いです、選んだコイルの左側スロットが１スロットに成りますから、１相１番コイルは１と６のスロット、２相１番コイルは３と８のスロット、３相１番コイルは５と１０のスロットに成ります、４極起電力発電モータの固定コイルの配設と配線を、４極で２４スロット、４極で４８スロットが有るが、４極２４スロットのところには、１相と３相が右巻きコイル配線で、２相が左巻きコイル配線とします。１相１番コイル１と６で６スロット末端導線を１相入力線とする、１スロット末端導線を３番コイルの１８スロット末端導線に結線、１３スロット末端導線を１相中性点とします、１相２番コイル７と１２で１２スロット末端導線を起電力発電コイルの中性点とする、７スロット末端導線を４番コイルの２４スロット末端導線と結線、１９スロット末端導線を１相出力線とします。２相１番コイル３と８で３スロット末端導線を２相入力線とする、８スロット末端導線を３番コイルの１５スロット末端導線に結線、２０スロット末端導線を２相中性点とします、２相２番コイル９と１４の９スロット末端導線を起電力発電コイルの中性点とする、１４スロット末端導線を４番コイル２１スロット末端導線に結線、２スロット末端導線を２相出力線とします。３相１番コイル５と１０の１０スロット末端導線を３相入力線とします、５スロット末端導線を３番コイルの２２スロット末端導線に結線、１７スロット末端導線を３相中性点とします、３相２番コイル１１と１６の１６スロット末端導線を起電力発電コイルの中性点とする、１１スロット末端導線を４番コイルの４スロット末端導線に結線、２３スロット末端導線を３相出力線とします。６極起電力発電モータの固定コイルの配設と配線を、６極で３６スロットと６極で７２スロットが有るが、６極の３６スロットのところには、１相と３相が左巻きコイル配線で、２相が右巻きコイル配線とします、１相１番コイル１と６の１スロット末端導線を１相入力線とします、６スロット末端導線を３番コイル１３スロット末端導線と結線、１８スロット末端導線を５番コイル２５末端導線と結線、３０スロット末端導線を１相中性点とする、１相２番コイル７と１２の７スロット末端導線を起電力発電コイルの中性点とする、１２スロット末端導線を４番コイル１９スロット末端導線と結線、２４スロット末端導線を６番コイル３１スロット末端導線と結線、３６スロット末端導線を１相出力線とします。２相１番コイル３と８の８スロット末端導線を１相入力線とします、３スロット末端導線を５番コイル３２スロット末端導線と結線、２７スロット末端導線を３番コイル２０スロット末端導線と結線、１５スロット末端導線を２相中性点とします、２相２番コイル９と１４の１４スロット末端導線を起電力発電コイルの中性点とする、９スロット末端導線を６番コイル���スロット末端導線と結線、３３スロット末端導線を４番コイル２６スロット末端導線と結線、２１スロット末端導線を２相出力線とします。３相１番コイル５と１０の５スロット末端導線を３相入力線とします、１０スロット末端導線を３番コイル１７スロット末端導線に結線、２２スロット末端導線を５番コイル２９スロット末端導線と結線、３４スロット末端導線を３相中性点とする、３相２番コイル１１と１６の１１スロット末端導線を起電力発電コイルの中性点とする、１６スロット末端導線を４番コイル２３スロット末端導線と結線、２８スロット末端導線を６番コイル３５スロット末端導線と結線、４スロット末端導線を３相出力線とします、また、４極と６極の固定コイルの配線は、左側入力線の場合１番コイル、３番コイル、５番コイル、と、２番コイル、４番コイル、６番コイルと番号順に配線しますが、右側入力線の場合１番コイル、５番コイル、３番コイル、と、２番コイル、６番コイル、４番コイルと配線コイル順番が変わるのは配線導線を一番の短路でコイルとコイルを結線するためです。
【請求項３】
逆起電力と起電力の発電モータは、モータ  ケースの外部に設置した入力端子台と出力端子台での配線の方法で、起電力発電モータと逆起電力発電モータとを選択出来る発電モータです、４極発電モータの固定コイルと６極発電モータの固定コイルとも同じ方法の端子台での配線です、入力線を繋いだ逆起電力発電と回転励磁コイルを直列配線して、入力線を入力端子台に１相、２相、３相、と結合したら１相の中性点を２相の入力線端子に結合、２相の中性点を３相の入力線端子に結合、３相の中性点を１相の入力線端子に結合して入力線のデルタ結線です、出力線を繋いだ起電力発電コイルを直列配線して、出力線を出力端子台に１相、２相、３相、と結合したら、出力線１相と２相と３相の中性点を三本束ねて結合してスター結線する、または、１相出力線の中性点を２相出力端子に結合、２相出力線の中性点を３相出力端子に結合、３相の出力線の中性点を１相の出力端子に結合して出力線のデルタ結線、この出力線のスター結線とデルタ結線での発電は起電力発電に成ります、また、出力線をデルタ結線すると１相の出力線を繋いだ固定コイルで発電した起電力が、２相の出力線固定コイルに入りコイル励磁するときに、２相の入力線を繋いだ固定コイルもインバータの三相交流電気が入り回転励磁したとき、２相の固定コイルに回転磁界が出来てロータの回転力が上る回転となる、出力線を繋いだ固定コイルで発電した起電力はロータの回転を補助しながら、デルタ結線部に繋いだ三相導線により負荷側に出力するために、スター結線した発電よりも発電量が下がります、出力線を繋いだ２相の起電力は出力線３相に入りロータの回転補助をして出力、出力線を繋いだ３相の起電力は出力線１相に入りロータの回転補助をして出力、この状態のコイル巻き方向は入力線コイルが右巻きなら、出力線コイルは左巻きに成りステータ  ヨークに回転磁界が出来て起電力が回転補助しながら出力する、また  デルタ結線した入力線とデルタ結線した出力線を端子台で三相導線で繋ぐには、１相と１相、２相と２相、３相と３相と同相同士を結線します、入力線にインバータから三相出力交流電気を流すと、入力線コイルと出力線コイルが三相導線で繋がれていますので、ともに固定コイルが回転励磁されてロータが強力な回転となり、入力線コイルと出力線コイルとも逆起電力が発電されて、入力線コイルはインバータ方向に流れ、出力線コイルはデルタ結線部に流れ端子台で繋いだ三相導線の逆起電力引き込み線により、入力線と出力線の逆起電力が出力線デルタ結線部に繋いだ三相出力導線で負荷側に流れます。
【発明の詳細な説明】
【技術分野】
【０００１】
本発明は、動力モータのステータ  ヨーク固定コイルを使用した逆起電力発電モータ、または、動力モータの固定コイルと発電機コイル機能を併せ持つ起電力発電モータとを、モータ  ケースの外部に設置した入力端子台と出力端子台での、入力線と入力線の中性点、出力線と出力線の中性点、入力線と出力線を繋ぐ三相導線の結線方法で簡単に、逆起電力発電モータか起電力発電モータかを選択出来る発電モータ。
【先行技術文献】
【特許文献】
【０００２】
【特許文献１】特開  ２００９−２０４３１１
【発明の概要】
【発明が解決しようとする課題】
【０００３】
解決しょうとする問題点は、動力モータと発電モータの同時使用する場合に回転力が弱い。
【課題を解決するための手段】
【０００４】
本発明は、動力モータのステータ  ヨークに配設の固定コイルに入力線を繋いだ逆起電力発電と回転励磁コイル、起電力発電の出力線コイルの２種類に分離するために、２種類のコイルを繋いでいた逆起電力引き込み結線部を取り外し、外したコイル末端導線を起電力発電コイルの中性点とします、入力線と出力線はモータ  ケース外側に設置した別々の端子台に結合、入力線の中性点は入力端子台でデルタ結線します、出力線の中性点は出力端子台でスター結線かデルタ結線します。
【０００５】
４極発電モータは、分布巻固定コイルの固定するスロット数は２４本と４８本があります、コイル配設は２４本のスロットで説明します、図面で解りやすくするために固定コイルとスロットに、回転軸側から固定コイルを見て右回りで番号を付けました、固定コイルは各相とも１番から４番とし、スロットは１から２４の通し番号とします、１相の１番コイルは１と６、２番コイルは７と１２、３番コイルは１３と１８、４番コイルは１９と２４、２相の１番コイルは５と１０、２番コイルは１１と１６、３番コイルは１７と２２、４番コイルは２３と４、３相の１番コイルは９と１４、２番コイルは１５と２０、３番コイルは２１と２、４番コイルは３と８、を使用します。
【０００６】
固定コイル番号の、奇数番号が入力線を繋いだ回転励磁のコイルで、偶数番号が出力線を繋いだ起電力発電コイルです、固定コイルの入力線コイルを直列配線に出力線コイルを直列配線の組み合わせと、入力線コイルを直列配線に出力線コイルを並列配線の組み合わせと、入力線コイルを並列配線に出力線コイルを直列配線の組み合わせが有ります。
【０００７】
４極起電力発電モータの固定コイルの直列配線と直列配線のしかた、１相１番コイル１と６、スロット６のコイル末端を入力線とします、スロット１コイル末端を３番コイル１３と１８のスロット１８コイル末端と結線、スロット１３コイル末端を中性点とします、１相２番コイル７と１２、スロット１２コイル末端を起電力発電コイルの中性点とする、スロット７コイル末端を４番コイル１９と２４のスロット２４コイル末端に結線、スロット１９コイル末端を出力線とします。２相１番コイル５と１０、スロット１０のコイル末端を入力線とします、スロット５コイル末端を３番コイル１７と２２のスロット２２コイル末端と結線、スロット１７コイル末端を中性点とします、２相２番コイル１１と１６、スロット１６コイル末端を起電力発電コイルの中性点とする、スロット１１コイル末端を４番コイル４と２３のスロット４コイル末端と結線、スロット２３コイル末端を出力線とします。３相１番コイル９と１４、スロット１４のコイル末端を入力線とします、スロット９コイル末端を３番コイル２と２１のスロット２コイル末端に結線、スロット２１コイル末端を中性点とします、３相２番コイル１５と２０、スロット２０コイル末端を起電力発電コイルの中性点とする、スロット１５コイル末端を４番コイル３と８のスロット８コイル末端と結線スロット３のコイル末端を出力線とします。
【０００８】
起電力発電モータの外部に設置した端子台に入力線三線を固定するボルトとナット、出力線三線を固定するボルトとナットを配置して、プラスチックの台で漏電しないようにする、入力端子台に１相、２相、３相、と入力線を固定したら１相の回転励磁コイルの中性点を２相端子に結合、２相の回転励磁コイルの中性点を３相端子に結合、３相の回転励磁コイルの中性点を１相端子に結合してデルタ結線にします、又  出力線は１相出力、２相出力、３相出力として出力端子台に結合します、出力線の起電力発電コイルの中性点に導線を付けてモータ外部の端子台まで伸ばして三本束にしてスター結線、または、１相出力線の中性点を２相出力線に結合、２相出力線の中性点を３相出力線に結合、３相出力線の中性点を１相の出力線に結合してデルタ結線します、この配線で入力線からインバータ出力電流を流すと回転と発電が始まります、出力線デルタ結線部、または  スータ結線した出力線から起電力が出力します、この出力線のデルタ結線の時点から回転力が上がります、また、入力線をデルタ結線、出力線をデルタ結線して三相導線で入力線と出力線を繋ぎます、１相は１相に２相は２相に３相は３相にと繋ぎますと入力線は逆起電力で、出力線固定コイルも回転励磁コイルになり逆起電力の発電になります、このときに発電モータの回転力は強力な回転力になり、発電力も安定した三相交流が出力線デルタ結線部に出力しますので、デルタ結線部に三相出力導線を結線し負荷側に出力します。
【０００９】
起電力発電モータは、交流三相２００Ｖをインバータからの出力三相交流電力により、回転と発電を同時に出来、回転中に起電力か逆起電力を取り出せる発電モータです、固定コイルは三相４極コイルと三相６極コイルで分布巻コイルを配設します、ロータには永久磁石ロータ、電磁石ロータ、鉄芯かご型ロータ、と永久磁石挿入鉄芯ロータ、とが有りどのロータも回転と発電が出来ます、４極コイルのロータに配設の永久磁石極はプラス、マイナス、プラス、マイナスと４磁極配設回転ロータとする、６極コイルのロータに配設の永久磁石極はプラス、マイナス、プラス、マイナス、プラス、マイナスと６磁極配設回転ロータとする、又  電磁石ロータと永久磁石挿入鉄芯ロータも永久磁石ロータと同じ回転ロータの磁極数とする、又  鉄芯ロータは固定コイルの磁力により回転ロータに磁化された磁極が発生します。
【００１０】
４極起電力発電モータ、永久磁石ロータの回転と起電力の発電は、１相入力線の回転励磁コイルの１番コイルと３番コイルが交番磁界でＳ極励磁した時、１相２番コイルと４番コイルのステータ  ヨークにＳ極に磁化されたＮ極が発生、１相固定コイルにＳ，Ｎ，Ｓ，Ｎ，の回転磁界が出来ると、回転軸の永久磁石極ロータのＮ，Ｓ，Ｎ，Ｓ、を１相固定コイル各磁極まで引き寄せて回転となる、１相１番コイルと３番コイルがゼロボルトになる電圧降下中に、２相入力線の回転励磁コイルの１番コイルと３番コイルがＳ極励磁した時、２相２番コイルと４番コイルのステータ  ヨークにＳ極に磁化されたＮ極が発生、２相の固定コイルにＳ，Ｎ，Ｓ，Ｎ，の回転磁界が出来ると、回転軸の永久磁石極ロータのＮ，Ｓ，Ｎ，Ｓ、を２相固定コイル各磁極まで引き寄せて回転となる、この瞬間に１相２番コイルと４番コイルが回転軸Ｓ極磁束が横切る、１相２番コイルと４番コイルは起電力が発生、出力線方向へ流れ出力する、２相１番コイルと３番コイルがゼロボルトになる電圧降下中に、３相入力線の回転励磁コイルの１番コイルと３番コイルがＳ極励磁した時、３相２番コイルと４番コイルのステータ  ヨークにＳ極に磁化されたＮ極が発生、３相の固定コイルにＳ，Ｎ，Ｓ，Ｎ、の回転磁界が出来ると、回転軸の永久磁石ロータのＮ，Ｓ，Ｎ，Ｓ、を３相固定コイル各磁極まで引き寄せて回転となる、この瞬間、２相２番コイルと４番コイルを回転軸Ｓ極磁束が横切る、２相２番コイルと４番コイルは起電力が発生し出力線方向へ流れ出力させる、３相１番コイルと３番コイルがゼロボルトになる電圧降下中に、１相入力線の回転励磁コイルの１番コイルと３番コイルがＮ極励磁した時、１相２番コイルと４番コイルのステータ  ヨークにＮ極に磁化されたＳ極が発生、１相の固定コイルにＮ，Ｓ，Ｎ，Ｓ、の回転磁界が出来ると、回転軸の永久磁石ロータのＳ，Ｎ．Ｓ，Ｎ、を１相固定コイル各磁極まで引き寄せて回転となる、この瞬間に３相２番コイルと４番コイルを回転軸Ｎ極磁束が横切る、３相２番コイルと４番コイルは起電力が発生し出力線方向へ流れ出力させる。又  鉄芯かご型ロータの発電も永久磁石ロータと同じですが、違うところは回転励磁コイルがＳ極に励磁した時、ステータ  ヨークの２番、４番コイルもＮ極に磁化され、かご型ロータの鉄芯の回転励磁コイルに近い部分もＮ極に磁化され、鉄芯かご型ロータにＮ，Ｓ，Ｎ，Ｓ，の磁極が出来、ゼロボルトで次の相に移動するときに鉄芯かご型ロータの残留磁気の磁束が、コイルを横切り発電となる、連続した発電と回転は永久磁石ロータと同じです。
【００１１】
６極起電力発電モータのコイル配設、入力線コイルは並列配線、出力線コイルは直列配線としました、入力線コイルは１番と３番と５番コイルで出力線コイルは２番と４番と６番コイルで配設されています、コイル番号とスロット番号は回転軸側から見て右回りで番号を付けています、コイル番号は１から６まで、スロット番号は１から３６と７２があるが３６で説明します、１相入力線回転励磁コイルは１番と３番と５番コイルの右側末端、スロット３０と１８と６のコイル末端をスロット６コイル末端のステータ  ヨークから５０ｍｍ出た所に３本結線、結線部に導線を結線し入力線として外部入力端子台に結合します、コイル左側末端スロット１と１３と２５のコイル末端をスロット２５コイル末端のステータ  ヨークから５０ｍｍ出た所に３本結線、結線部に導線を結線し中性線とします、１相出力線発電コイルは２番コイルのスロット１２のコイル末端を起電力発電コイルの中性点とする、コイル左側スロット７のコイル末端を６番コイルのスロット３６のコイル末端と結線、スロット３１を４番コイルのスロット２４のコイル末端と結線、スロット１９のコイル末端が出力線になります。２相入力線回転励磁コイルは１番と３番と５番コイルの右側末端、スロット１０と２２と３４のコイル末端をスロット１０コイル末端のステータ  ヨークから５０ｍｍ出た所に３本結線、結線部に導線を結線し入力線として外部入力端子台に結合、コイル左側スロット５と１７と２９のコイル末端をスロット２９コイル末端のステータ  ヨークから５０ｍｍ出た所に３本結線、結線部に導線を結線し中性線とします、２相出力線発電コイルは２番コイルのスロット１６のコイル末端を起電力発電コイルの中性点とする、２番コイルのスロット１１を６番コイルのスロット４のコイル末端に結線、スロット３５のコイル末端を４番コイルのスロット２８のコイル末端に結線、スロット２３のコイル末端が出力線になります。３相入力線回転励磁コイルは１番と３番と５番コイルの右側末端、スロット２と１４と２６のコイル末端をスロット１４コイル末端のステータ  ヨークから５０ｍｍ出た所に３本結線、結線部に導線を結線し入力線として外部入力端子台に結合、コイル左側スロット９と２１と３３のコイル末端をスロット３３コイル末端のステータ  ヨークから５０ｍｍ出た所に３本結線、結線部に導線を結線し中性線とします、３相出力線発電コイルは２番コイルのスロット２０コイル末端を起電力発電コイルの中性点とする、２番コイルのスロット１５コイル末端を６番コイルスロット８のコイル末端に結線、スロット３のコイル末端を４番コイルのスロット３２のコイル末端に結線、スロット２７のコイル末端が出力線になります。配線が終了したら出力線発電コイルは中性点を３本束にして結線してスター結線する、また  入力線コイルは中性線を外部端子台で１相の中性線を２相入力線に結合、２相の中性線を３相の入力線に結合、３相の中性線を１相の入力線に結合してデルタ結線する。
【００１２】
４極起電力発電モータ、固定コイル２相コイルだけ左巻コイル、１相と３相は右巻コイルでも回転と発電をします、コイル配設は１相入力線回転励磁コイル１番と３番コイルで、１番コイルのスロット６コイル末端を入力線に、スロット１コイル末端を３番コイルのスロット１８のコイル末端に結線、スロット１３のコイル末端を中性点に、１相出力線発電コイルは２番と４番コイルで、２番コイルのスロット１２コイル末端を起電力発電コイルの中性点とする、スロット７のコイル末端を４番コイルスロット２４のコイル末端に結線、スロット１９のコイル末端を出力線になります。２相入力線回転励磁コイルは１番と３番コイルで、１番コイルのスロット３コイル末端を入力線に、スロット８のコイル末端を３番コイルのスロット１５のコイル末端と結線、スロット２０のコイル末端を中性点に、２相出力線発電コイルは２番コイルスロット９のコイル末端を起電力発電コイルの中性点とする、スロット１４コイル末端を４番コイルのスロット２１コイル末端と結線、スロット２のコイル末端が出力線になります。３相入力線回転励磁コイルは１番と３番コイルで、１番コイルのスロット１０のコイル末端を入力線に、スロット５のコイル末端を３番コイルのスロット２２のコイル末端と結線、スロット１７のコイル末端を中性点に、３相出力線発電コイルは２番と４番コイルで、２番コイルのスロット１６のコイル末端を起電力発電コイルの中性点とする、スロット１１コイル末端を４番コイルのスロット４のコイル末端に結線、スロット２３のコイル末端を出力線にします。
【００１３】
発電モータは、複数の発電モータの発電した起電力、または  逆起電力を整流器など使用しないで三相交流のまま集合させて増量することが出来る発電モータです、方法は出力線を一つの集合三相端子台に複数の発電モータの出力線を結合、複数の発電モータの１台の入力線にだけインバータ出力を流しますと、全部の発電モータが回転し発電をします、同じ回転方向かを確認します、回転が反対なら出力線の１相と３相を端子台で入れ換えて回転方向を同じにします、鉄芯ロータ発電モータはこの状態で増量発電が出来ますが、磁石ロータ発電モータは鉄芯ロータ発電モータのように電源を入れて回転までは同じ工程ですが、磁石ロータ発電モータは電源を入れて低速回転してすぐに止めます、停止した状態でプーリとプーリベルトか歯車とチエーンで全部の磁石ロータ発電モータの固定コイルを通過するタイミングが外れないようにする、例えば全部の発電モータ固定コイルの入力線１番コイルと３番コイルを全部の発電モータの磁石ロータ配設磁極のＮ極が止まっている状態にして、タイミングが外れないようにすれば増量発電が出来ます、４極と４極、６極と６極と同じ極数で同じ固定コイル配線の逆起電力発電モータなら増量発電が出来ます、また  １台だけインバータ三相出力を入れる電源入力発電モータは起電力発電モータを使用する、極数が同じなら鉄芯ロータ発電モータと磁石ロータ発電モータとの組み合わせも出来ます。
【図面の簡単な説明】
【００１４】
【図１】図１は４極永久磁石ロータの断面図と、各コイル配設番号とコイル固定スロット番号。
【図２】図２は６極永久磁石ロータの断面図と、各コイル配設番号とコイル固定スロット番号。
【図３】図３は４極固定コイル、逆起電力発電の直列配線と直列配線のコイル図デルタ結線、と逆起電力引き込み三相線。
【図４】図４は６極固定コイル、逆起電力発電の直列配線と直列配線のコイル図デルタ結線、と逆起電力引き込み三相線。
【符号の説明】
【００１５】
１    １相入力線
２    ２相入力線  
３    ３相入力線
４    コイル番号                                            
５    １相出力線                                            
６    ２相出力線                                            
７    ３相出力線                                            
８    １相励磁コイル中性点
９    ２相励磁コイル中性点
１０    ３相励磁コイル中性点
１１    固定コイルとスロット番号
１２    回転軸永久磁石
１３    １相出力線発電コイル中性点
１４    ２相出力線発電コイル中性点
１５    ３相出力線発電コイル中性点
１６    デルタ結線
１７    逆起電力引き込み結線部、と三相線                                                                
【図１】
2011160595.tif 000003
【図２】
2011160595.tif 000004
【図３】
2011160595.tif 000005
【図４】
2011160595.tif 000006
【手続補正書】
【提出日】平成22年6月5日(2010.6.5)
【手続補正１】
【補正対象書類名】明細書
【補正対象項目名】０００５
【補正方法】変更
【補正の内容】
【０００５】
４極発電モータは、分布巻固定コイルの固定するスロット数は２４本と４８本があります、コイル配設は２４本のスロットで説明します、図面で解りやすくするために固定コイルとスロットに、回転軸側から固定コイルを見て右回りで番号を付けました、固定コイルは各相とも１番から４番とし、スロットは１番スロットから２４番スロットの通し番号とします、１相の１番コイルは１番スロットと６番スロット、２番コイルは７番スロットと１２番スロット、３番コイルは１３番スロットと１８番スロット、４番コイルは１９番スロットと２４番スロット、２相の１番コイルは５番スロットと１０番スロット、２番コイルは１１番スロットと１６番スロット、３番コイルは１７番スロットと２２番スロット、４番コイルは２３番スロットと４番スロット、３相の１番コイルは９番スロットと１４番スロット、２番コイルは１５番スロットと２０番スロット、３番コイルは２１番スロットと２番スロット、４番コイルは３番スロットと８番スロットを使用します。
【手続補正２】
【補正対象書類名】明細書
【補正対象項目名】０００７
【補正方法】変更
【補正の内容】
【０００７】
４極起電力発電モータの固定コイルの直列配線と直列配線のしかた、１相１番コイル１番スロットと６番スロットの６番スロットのコイル末端を入力線とします、１番スロットのコイル末端を３番コイル１３番スロットと１８番スロットの１８番スロットのコイル末端と結線、１３番スロットのコイル末端を中性点とします、１相２番コイル７番スロットと１２番スロットの１２番スロットのコイル末端を起電力発電コイルの中性点とする、７番スロットのコイル末端を４番コイル１９番スロットと２４番スロットの２４番スロットのコイル末端に結線、１９番スロットのコイル末端を出力線とします。２相１番コイル５番スロットと１０番スロットの１０番スロットのコイル末端を入力線とします、５番スロットのコイル末端を３番コイル１７番スロットと２２番スロットの２２番スロットのコイル末端と結線、１７番スロットのコイル末端を中性点とします、２相２番コイル１１番スロットと１６番スロットの１６番スロットのコイル末端を起電力発電コイルの中性点とする、１１番スロットのコイル末端を４番コイル４番スロットと２３番スロットの４番スロットのコイル末端と結線、２３番スロットのコイル末端を出力線とします。３相１番コイル９番スロットと１４番スロットの１４番スロットのコイル末端を入力線とします、９番スロットのコイル末端を３番コイル２番スロットと２１番スロットの２番スロットのコイル末端に結線、２１番スロットのコイル末端を中性点とします、３相２番コイル１５番スロットと２０番スロットの２０番スロットのコイル末端を起電力発電コイルの中性点とする、１５番スロットのコイル末端を４番コイル３番スロットと８番スロットの８番スロットのコイル末端と結線、３番スロットのコイル末端を出力線とします。
【手続補正３】
【補正対象書類名】明細書
【補正対象項目名】０００８
【補正方法】変更
【補正の内容】
【０００８】
起電力発電モータの外部に設置した端子台に入力線三線を固定するボルトとナット、出力線三線を固定するボルトとナットを配置して、プラスチックの台で漏電しないようにする、入力端子台に１相、２相、３相、と入力線を固定したら１相の回転励磁コイルの中性点を２相端子に結合、２相の回転励磁コイルの中性点を３相端子に結合、３相の回転励磁コイルの中性点を１相端子に結合してデルタ結線にします、又  出力線は１相出力、２相出力、３相出力として出力端子台に結合します、出力線の起電力発電コイルの中性点に導線を付けてモータ外部の端子台まで伸ばして三本束にしてスター結線、または、１相出力線の中性点を２相出力線に結合、２相出力線の中性点を３相出力線に結合、３相出力線の中性点を１相の出力線に結合してデルタ結線します、この配線で入力線からインバータ出力電流を流すと回転と発電が始まります、出力線デルタ結線部、または  スター結線した出力線から起電力が出力します、この出力線のデルタ結線の時点から回転力が上がります、また、入力線をデルタ結線、出力線をデルタ結線して三相導線で入力線と出力線を繋ぎます、１相は１相に２相は２相に３相は３相にと繋ぎますと入力線は逆起電力で、出力線固定コイルも回転励磁コイルになり逆起電力の発電になります、このときに発電モータの回転力は強力な回転力になり、発電力も安定した三相交流が出力線デルタ結線部に出力しますので、デルタ結線部に三相出力導線を結線し負荷側に出力します。
【手続補正４】
【補正対象書類名】明細書
【補正対象項目名】００１１
【補正方法】変更
【補正の内容】
【００１１】
６極起電力発電モータのコイル配設、入力線コイルは並列配線、出力線コイルは直列配線としました、入力線コイルは１番と３番と５番コイルで出力線コイルは２番と４番と６番コイルで配設されています、コイル番号とスロット番号は回転軸側から見て右回りで番号を付けています、コイル番号は１から６まで、スロット番号は１番から３６番と１番から７２番があるが１番から３６番で説明します、１相入力線回転励磁コイルは１番と３番と５番コイルの右側末端、３０番スロットと１８番スロットと６番スロットのコイル末端を６番スロットのコイル末端のステータ  ヨークから５０ｍｍ出た所に３本結線、結線部に導線を結線し入力線として外部入力端子台に結合します、コイル左側末端１番スロットと１３番スロットと２５番スロットのコイル末端を２５番スロットのコイル末端のステータ  ヨークから５０ｍｍ出た所に３本結線、結線部に導線を結線し中性線とします、１相出力線発電コイルは２番コイルの１２番スロットのコイル末端を起電力発電コイルの中性点とする、コイル左側７番スロットのコイル末端を６番コイルの３６番スロットのコイル末端と結線、３１番スロットのコイル末端を４番コイルの２４番スロットのコイル末端と結線、１９番スロットのコイル末端が出力線になります。２相入力線回転励磁コイルは１番と３番と５番コイルの右側末端、１０番スロットと２２番スロットと３４番スロットのコイル末端を１０番スロットのコイル末端のステータ  ヨークから５０ｍｍ出た所に３本結線、結線部に導線を結線し入力線として外部入力端子台に結合、コイル左側５番スロットと１７番スロットと２９番スロットのコイル末端を２９番スロットのコイル末端のステータ  ヨークから５０ｍｍ出た所に３本結線、結線部に導線を結線し中性線とします、２相出力線発電コイルは２番コイルの１６番スロットのコイル末端を起電力発電コイルの中性点とする、２番コイルの１１番スロットの末端を６番コイルの４番スロットのコイル末端に結線、３５番スロットのコイル末端を４番コイルの２８番スロットのコイル末端に結線、２３番スロットのコイル末端が出力線になります。３相入力線回転励磁コイルは１番と３番と５番コイルの右側末端、２番スロットと１４番スロットと２６番スロットのコイル末端を１４番スロットのコイル末端のステータ  ヨークから５０ｍｍ出た所に３本結線、結線部に導線を結線し入力線として外部入力端子台に結合、コイル左側９番スロットと２１番スロットと３３番スロットのコイル末端を３３番スロットのコイル末端のステータ  ヨークから５０ｍｍ出た所に３本結線、結線部に導線を結線し中性線とします、３相出力線発電コイルは２番コイルの２０番スロットのコイル末端を起電力発電コイルの中性点とする、２番コイルの１５番スロットのコイル末端を６番コイルの８番スロットのコイル末端に結線、３番スロットのコイル末端を４番コイルの３２番スロットのコイル末端に結線、２７番スロットのコイル末端が出力線になります。配線が終了したら出力線発電コイルは中性点を３本束にして結線してスター結線する、また  入力線コイルは中性線を外部端子台で１相の中性線を２相入力線に結合、２相の中性線を３相の入力線に結合、３相の中性線を１相の入���線に結合してデルタ結線する。
【手続補正５】
【補正対象書類名】明細書
【補正対象項目名】００１２
【補正方法】変更
【補正の内容】
【００１２】
４極起電力発電モータ、固定コイル２相コイルだけ左巻コイル、１相と３相は右巻コイルでも回転と発電をします、コイル配設は１相入力線回転励磁コイル１番と３番コイルで、１番コイルの６番スロットのコイル末端を入力線に、１番スロットのコイル末端を３番コイルの１８番スロットのコイル末端に結線、１３番スロットのコイル末端を中性点に、１相出力線発電コイルは２番と４番コイルで、２番コイルの１２番スロットのコイル末端を起電力発電コイルの中性点とする、７番スロットのコイル末端を４番コイル２４番スロットのコイル末端に結線、１９番スロットのコイル末端を出力線になります。２相入力線回転励磁コイルは１番と３番コイルで、１番コイルの３番スロットのコイル末端を入力線に、８番スロットのコイル末端を３番コイルの１５番スロットのコイル末端と結線、２０番スロットのコイル末端を中性点に、２相出力線発電コイルは２番コイル９番スロットのコイル末端を起電力発電コイルの中性点とする、１４番スロットのコイル末端を４番コイルの２１番スロットのコイル末端と結線、２番スロットのコイル末端が出力線になります。３相入力線回転励磁コイルは１番と３番コイルで、１番コイルの１０番スロットのコイル末端を入力線に、５番スロットのコイル末端を３番コイルの２２番スロットのコイル末端と結線、１７番スロットのコイル末端を中性点に、３相出力線発電コイルは２番と４番コイルで、２番コイルの１６番スロットのコイル末端を起電力発電コイルの中性点とする、１１番スロットのコイル末端を４番コイルの４番スロットのコイル末端に結線、２３番スロットのコイル末端を出力線にします。
【手続補正６】
【補正対象書類名】特許請求の範囲
【補正対象項目名】全文
【補正方法】変更
【補正の内容】
【特許請求の範囲】
【請求項１】
起電力発電モータはインバータ三相交流２００Ｖの出力電流を起電力発電モータの三相入力線に流して回転し、同時に発電された起電力の三相交流電流が起電力発電モータの出力線から出力します、４極起電力発電モータのステータ  ヨークの分布巻コイルを固定するスロット数は２４スロットと４８スロットが有ります、６極起電力発電モータのステータ  ヨークの分布巻コイルを固定するスロット数は３６スロットと７２スロットが有ります、４極と６極の起電力発電モータのロータ部には、永久磁石ロータ、電磁石ロータ、永久磁石挿入鉄芯ロータ、かご型鉄芯ロータ、の種類が有ります。起電力発電モータのステータ  ヨークの固定コイル配設を解りやすくするために、回転軸側から固定コイルを見て右回りで番号を付けました、４極起電力発電モータは１相、２相、３相、とも各相１番コイルから４番コイルとし、スロット番号も右回りの通し番号１番から２４番のスロット、および１番から４８番のスロットとし、６極起電力発電モータは１相、２相、３相、とも各相１番コイルから６番コイルとします、スロット番号も右回りの通し番号１番から３６番のスロット、および１番から７２番のスロットとします、コイル番号の奇数番号が入力線を繋いだ回転励磁コイルです、偶数番号が出力線を繋いだコイルで起電力発電コイルに成ります。４極と６極の起電力発電モータのステータ  ヨークに配設した固定コイルの１番コイルの決め方は、４極固定コイルのスロットは１番から２４番と１番から４８番のスロットが有り、６極固定コイルのスロットは１番から３６番と１番から７２番のスロットが有るが、４極で１番から２４番のスロットと６極で１番から３６番のスロットのところの、４極ステータ  ヨーク１相１番コイルと６極ステータ  ヨーク１相１番コイルはどのコイルを選択してもよい、選んだ１相１番コイルを回転軸側から見て左側スロットを１番として右回りでスロットに通し番号を付けて２相と３相の１番コイルを決めます、選んだ１相１番コイルは１番スロットと６番スロットに成ります、２相１番コイルは５番スロットと１０番スロットに成ります、３相１番コイルは９番スロットと１４番スロットに成ります、４極と６極の起電力発電モータの入力線は各相とも１番コイルにします、１番コイルの右側スロット末端導線を入力線に選んだら、ステータ  ヨークに配設した固定コイルは全コイル右巻き配線します、また、１番コイルの左側スロット末端導線を入力線に選んだら、ステータ  ヨークに配設した固定コイルは全コイル左巻き配線します。直列配線は固定コイルの左右を回転軸側から見た方向とし、４極で１番スロットから２４番スロットの１相入力線を繋いだコイルを直列配線すると、１番コイルは１番スロットと６番スロットで６番スロット末端導線を入力線として、１番スロットの末端導線を３番コイルの１３番スロットと１８番スロットの１８番スロット末端導線に結線、１３番スロット末端導線を中性点とする、この様に、コイルの巻き方向を変えずに入力線から流れた電気が順番にコイルを通過して中性点まで到達するようにする。４極起電力発電モータのステータ  ヨーク固定コイルの各相の配設と配線をコイル番号と４極で１番スロットから２４番スロットのところで、入力線を繋いだコイルを直列配線、出力線を繋いだコイルを直列配線とし、コイル配線は１相１番コイルの６番スロット末端導線を１相入力線とする、１番スロット末端導線を３番コイルの１８番スロット末端導線と結線、１３番スロット末端導線を１相中性点とする、１相２番コイルの１２番スロット末端導線を起電力発電コイルの中性点とする、７番スロット末端導線を４番コイルの２４番スロット末端導線と結線、１９番スロット末端導線を出力線とする。２相１番コイルの１０番スロット末端導線を２相入力線とする、５番スロット末端導線を３番コイルの２２番スロット末端導線と結線、１７番スロット末端導線を２相中性点とする、２相２番コイルの１６番スロット末端導線を起電力発電コイルの中性点とする、１１番スロット末端導線を４番コイルの４番スロット末端導線と結線、２３番スロット末端導線を２相出力線とします。３相１番コイルの１４番スロット末端導線を３相入力線とする、９番スロット末端導線を３番コイルの２番スロット末端導線と結線、２１番スロット末端導線を３相中性点とする、３相２番コイルの２０番スロット末端導線を起電力発電コイルの中性点とする、１５番スロット末端導線を４番コイルの８番スロット末端導線と結線、３番スロット末端導線を３相出力線とします。６極起電力発電モータのステータ  ヨーク固定コイルの各相の配設と配線をコイル番号と６極で１番から３６番のスロットのところで、入力線を繋いだコイルを直列配線、出力線を繋いだコイルを直列配線とし、コイル配線は１相１番コイルの１番スロット末端導線を１相入力線とする、６番スロット末端導線を３番コイルの１３番スロット末端導線と結線、１８番スロット末端導線を５番コイルの２５番スロット末端導線と結線、３０番スロット末端導線を１相中性点とします、１相２番コイルの７番スロット末端導線を起電力発電コイルの中性点とする、１２番スロット末端導線を４番コイルの１９番スロット末端導線に結線、２４番スロット末端導線を６番コイルの３１番スロット末端導線と結線、３６番スロット末端導線を１相出力線とします。２相１番コイルの５番スロット末端導線を２相入力線とします、１０番スロット末端導線を３番コイルの１７番スロット末端導線と結線、２２番スロット末端導線を５番コイルの２９番スロット末端導線と結線、３４番スロット末端導線を２相中性点とします、２相２番コイルの１１番スロット末端導線を起電力発電コイルの中性点とする、１６番スロット末端導線を４番コイルの２３番スロット末端導線と結線、２８番スロット末端導線を６番コイルの３５番スロット末端導線と結線、４番スロット末端導線を２相出力線とします。３相１番コイルの９番スロット末端導線を３相入力線とする、１４番スロット末端導線を３番コイルの２１番スロット末端導線と結線、２６番スロット末端導線を５番コイルの３３番スロット末端導線と結線、２番スロット末端導線を中性点とする、３相２番コイルの１５番スロット末端導線を起電力発電コイルの中性点とする、２０番スロット末端導線を４番コイルの２７番スロット末端導線と結線、３２番スロット末端導線を６番コイルの３番スロット末端導線と結線、８番スロット末端導線を３相出力線とします、４極と６���の起電力発電モータの出力線発電コイルの中性点はスター結線かデルタ結線、入力線回転励磁コイルは１相の中性点を２相の入力線と結合、２相の中性点を３相の入力線と結合、３相の中性点を１相の入力線と結合するデルタ結線と、中性点を三本束にしたスター結線がある。起電力の発生と出力の仕方は４極と６極の起電力発電モータは同じです、１相の入力線を繋いだコイルの回転励磁がゼロボルトに電圧降下中に、２相の入力線を繋いだコイルが回転励磁され、ロータが２相固定コイルまで回転この時に１相の出力線を繋いだコイルは起電力を発電して出力線方向へ流れ出力させる、２相、３相、も同じ回転と発電を連続して行い、安定した回転と安定した起電力が出力する、固定コイルの配設と配線の発明です。
【請求項２】
４極と６極の起電力発電モータのステータ  ヨークに配設した固定コイル、１相と３相が右巻コイルで２相が左巻きコイルの固定コイル配設と配線の方法は、固定コイルの右側と左側は回転軸側から見た方向とします、固定コイル番号とスロット番号は右回りで付けます、４極と６極に配設した起電力発電モータ固定コイルの１相、２相、３相、には、４極で１番から２４番のスロットと１番から４８番のスロットが有る、６極で１番から３６番のスロットと１番から７２番のスロットが有りますが、４極で１番から２４番のスロットと６極で１番から３６番のスロットのところの、４極と６極のステータ  ヨークに配設した固定コイルの１相１番コイルは、配設したどのコイルを選択してもよい、選んだコイルを回転軸側から見て左側スロットが１番スロットに成りそこから右回りで４極は１番から２４番、６極は１番から３６番の通し番号をスロットに付けて、２相、３相の１番コイルを決めます、４極のステータ  ヨークと６極のステータ  ヨークの１相１番右巻きコイルは１番スロットと６番スロットのコイル、２相１番左巻きコイルは３番スロットと８番スロットのコイル、３相１番右巻きコイルは５番スロットと１０番スロットのコイルに成ります。４極起電力発電モータの固定コイルの配設と配線を、１番から２４番のスロットのところで、１相と３相が右巻きコイル配線で、２相が左巻きコイル配線のところは、１相１番コイルの１番スロットと６番スロットの６番スロット末端導線を１相入力線とする、１番スロット末端導線を３番コイルの１８番スロット末端導線に結線、１３番スロット末端導線を１相中性点とします、１相２番コイルの７番スロットと１２番スロットの１２番スロット末端導線を起電力発電コイルの中性点とする、７番スロット末端導線を４番コイルの２４番スロット末端導線と結線し１９番スロット末端導線を１相出力線とします。２相１番コイルの３番スロットと８番スロットの３番スロット末端導線を２相入力線とする、８番スロット末端導線を３番コイルの１５番スロット末端導線に結線、２０番スロット末端導線を２相中性点とします、２相２番コイルの９番スロットと１４番スロットの９番スロット末端導線を起電力発電コイルの中性点とする、１４番スロット末端導線を４番コイルの２１番スロット末端導線に結線、２番スロット末端導線を２相出力線とします。３相１番コイルの５番スロットと１０番スロットの１０番スロット末端導線を３相入力線とします、５番スロット末端導線を３番コイルの２２番スロット末端導線に結線、１７番スロット末端導線を３相中性点とします、３相２番コイルの１１番スロットと１６番スロットの１６番スロット末端導線を起電力発電コイルの中性点とする、１１番スロット末端導線を４番コイルの４番スロット末端導線に結線、２３番スロット末端導線を３相出力線とします。６極起電力発電モータの固定コイルの配設と配線を、６極で１番から３６番のスロットのところの、１相と３相が右巻きコイルで２相が左巻きコイル配線のところは、１相１番コイルの１番スロットと６番スロットの６番スロット末端導線を１相入力線とします、１番スロット末端導線を５番コイルの３０番スロット末端導線に結線、２５番スロット末端導線を���番コイルの１８番スロット末端導線と結線、１３番スロット末端導線を１相中性点とします、１相２番コイルの７番スロットと１２番スロットの１２番スロット末端導線を起電力発電コイルの中性点とする、７番スロット末端導線を６番コイルの３６番スロット末端導線に結線、３１番スロット末端導線を４番コイルの２４番スロット末端導線に結線、１９番スロット末端導線が１相出力線になる、２相１番コイルの３番スロットと８番スロットの３番スロット末端導線を２相入力線とします、８番スロット末端導線を３番コイルの１５番スロット末端導線と結線、２０番スロット末端導線を５番コイルの２７番スロット末端導線と結線、３２番スロット末端導線を２相中性点とする、２相２番コイルの９番スロットと１４番スロットの９番スロット末端導線を起電力発電コイルの中性点とする、１４番スロット末端導線を４番コイルの２１番スロット末端導線と結線、２６番スロット末端導線を６番コイルの３３番スロット末端導線と結線、２番スロット末端導線を２相出力線とします、３相１番コイルの５番スロットと１０番スロットの１０番スロット末端導線を３相入力線とします、５番スロット末端導線を５番コイルの３４番スロット末端導線と結線、２９番スロット末端導線を３番コイルの２２番スロット末端導線と結線、１７番スロット末端導線を３相中性点とする、３相２番コイルの１１番スロットと１６番スロットの１６番スロット末端導線を起電力発電コイルの中性点とする、１１番スロット末端導線を６番コイルの４番スロット末端導線と結線、３５番スロット末端導線を４番コイルの２８番スロット末端導線と結線、２３番スロット末端導線を出力線とします。
【請求項３】
４極と６極の起電力発電モータのステータ  ヨークに配設した固定コイルの、１相と３相が左巻きコイルで２相が右巻きコイルの固定コイル配設と配線の方法は、固定コイルの右側と左側は回転軸側から見た方向とします、固定コイル番号とスロット番号も右回りでつけます、４極と６極のステータ  ヨークに配設した起電力発電モータ固定コイルの１相、２相、３相には、４極で１から２４番と１から４８番のスロットが有り、６極で１から３６番と１から７２番のスロットが有り、４極で１から２４番のスロットと６極で１から３６番のスロットのところの、４極と６極のステータ  ヨークに配設した固定コイルの１相１番コイルはどのコイルを選択してもよい、選んだコイルを回転軸側から見て左側スロットが１番に成りそこから右回りで４極なら１番から２４番、６極なら１番から３６番とスロットに通し番号を付けて２相、３相の１番コイルを決めます、４極のステータ  ヨークと６極のステータ  ヨークの１相１番左巻きコイルは１番スロットと６番スロットのコイル、２相１番右巻きコイルは３番スロットと８番スロットのコイル、３相１番左巻きコイルは５番スロットと１０番スロットのコイルになる。４極起電力発電モータの配設と配線を４極で１番スロットから２４番スロットのところで、１相と３相が左巻きコイルで２相が右巻きコイル配線のところは、１相１番コイルは１番スロットと６番スロットで１番スロット末端導線を１相入力線とします、６番スロット末端導線を３番コイルの１３番スロットの末端導線と結線、１８番スロット末端導線を１相の中性点とする、１相２番コイルは７番スロットと１２番スロットで７番スロット末端導線を起電力発電コイルの中性点とする、１２番スロット末端導線を４番コイルの１９番スロット末端導線と結線、２４番スロット末端導線を１相出力線とします、２相１番コイル３番スロットと８番スロットの８番スロット末端導線を２相入力線とします、３番スロット末端導線を３番コイルの２０番スロット末端導線と結線、１５番スロット末端導線が２相中性点とする、２相２番コイルは９番スロットと１４番スロットの１４番スロット末端導線を起電力発電コイルの中性点とする、９番スロット末端導線を４番コイルの２番スロット末端導線と結線、２１番スロット末端導線を２相出力線とします、３相１番コイルは５番スロットと１０番スロットの５番スロット末端導線が３相入力線とします、１０番スロット末端導線を３番コイルの１７番スロット末端導線と結線、２２番スロット末端導線を３相中性点とします、３相２番コイルは１１番スロットと１６番スロットの１１番スロット末端導線を起電力発電コイル中性点とする、１６番スロット末端導線を４番コイルの２３番スロット末端導線と結線、４番スロット末端導線を３相出力線とする。６極起電力発電モータの固定コイルの配設と配線を、６極の１番スロットから３６番スロットのところで、１相と３相が左巻きコイル配線で、２相が右巻きコイル配線のところは、１相１番コイルは１番スロットと６番スロットの１番スロット末端導線を１相入力線とします、６番スロット末端導線を３番コイルの１３番スロット末端導線と結線、１８番スロット末端導線を５番コイルの２５番スロット末端導線と��線、３０番スロット末端導線を１相中性点とする、１相２番コイルは７番スロットと１２番スロットの７番スロット末端導線を起電力発電コイルの中性点とする、１２番スロット末端導線を４番コイルの１９番スロット末端導線と結線、２４番スロット末端導線を６番コイルの３１番スロット末端導線と結線、３６番スロット末端導線を１相出力線とします。２相１番コイルは３番スロットと８番スロットの８番スロット末端導線を１相入力線とします、３番スロット末端導線を５番コイルの３２番スロット末端導線と結線、２７番スロット末端導線を３番コイルの２０番スロット末端導線と結線、１５番スロット末端導線を２相中性点とします、２相２番コイルは９番スロットと１４番スロットの１４番スロット末端導線を起電力発電コイルの中性点とする、９番スロット末端導線を６番コイルの２番スロット末端導線と結線、３３番スロット末端導線を４番コイルの２６番スロット末端導線と結線、２１番スロット末端導線を２相出力線とします。３相１番コイルは５番スロットと１０番スロットの５番スロット末端導線を３相入力線とします、１０番スロット末端導線を３番コイルの１７番スロット末端導線に結線、２２番スロット末端導線を５番コイルの２９番スロット末端導線と結線、３４番スロット末端導線を３相中性点とする、３相２番コイルは１１番スロットと１６番スロットの１１番スロット末端導線を起電力発電コイルの中性点とする、１６番スロット末端導線を４番コイルの２３番スロット末端導線と結線、２８番スロット末端導線を６番コイルの３５番スロット末端導線と結線、４番スロット末端導線を３相出力線とします、また、４極と６極の固定コイルの配線は、左側入力線の場合１番コイル、３番コイル、５番コイル、と、２番コイル、４番コイル、６番コイルと番号順に配線しますが、右側入力線の場合１番コイル、５番コイル、３番コイル、と、２番コイル、６番コイル、４番コイルと配線コイル順番が変わるのは配線導線を一番の短路でコイルとコイルを結線するためです。
【請求項４】
請求項１、または、請求項２、または、請求項３に記載の逆起電力と起電力の発電モータの入力線と入力線の中性点、出力線と起電力発電の中性点を、モータ  ケースの外部に設置した入力端子台と出力端子台での配線の方法で、起電力発電モータと逆起電力発電モータとを選択出来る発電モータです、４極発電モータの固定コイルと６極発電モータの固定コイルとも同じ方法の端子台での配線です、入力線を繋いだ逆起電力発電と回転励磁コイルを直列配線して、入力線を入力端子台に１相、２相、３相、と結合したら１相の中性点を２相の入力線端子に結合、２相の中性点を３相の入力線端子に結合、３相の中性点を１相の入力線端子に結合して入力線のデルタ結線です、出力線を繋いだ起電力発電コイルを直列配線して、出力線を出力端子台に１相、２相、３相、と結合したら、出力線１相と２相と３相の中性点を三本束ねて結合してスター結線する、または、１相出力線の中性点を２相出力端子に結合、２相出力線の中性点を３相出力端子に結合、３相の出力線の中性点を１相の出力端子に結合して出力線のデルタ結線、この出力線のスター結線とデルタ結線での発電は起電力発電に成ります、また、出力線をデルタ結線すると１相の出力線を繋いだ固定コイルで発電した起電力が、２相の出力線固定コイルに入りコイル励磁するときに、２相の入力線を繋いだ固定コイルもインバータの三相交流電気が入り回転励磁したとき、２相の固定コイルに回転磁界が出来てロータの回転力が上る回転となる、出力線を繋いだ固定コイルで発電した起電力はロータの回転を補助しながら、デルタ結線部に繋いだ三相導線により負荷側に出力するために、スター結線した発電よりも発電量が下がります、出力線を繋いだ２相の起電力は出力線３相に入りロータの回転補助をして出力、出力線を繋いだ３相の起電力は出力線１相に入りロータの回転補助をして出力、この状態のコイル巻き方向は入力線コイルが右巻きなら、出力線コイルは左巻きに成りステータ  ヨークに回転磁界が出来て起電力が回転補助しながら出力する、また  デルタ結線した入力線とデルタ結線した出力線を端子台で三相導線を繋ぐには、１相と１相、２相と２相、３相と３相と同相同士を結線します、入力線にインバータから三相出力交流電気を流すと、入力線コイルと出力線コイルが三相導線で繋がれていますので、ともに固定コイルが回転励磁されてロータが強力な回転となり、入力線コイルと出力線コイルとも逆起電力が発電されて、入力線コイルはインバータ方向に流れ、出力線コイルはデルタ結線部に流れ端子台で繋いだ三相導線の逆起電力引き込み線により、入力線と出力線の逆起電力が出力線デルタ結線部に繋いだ三相出力導線で負荷側に流れます。
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
起電力発電モータはインバータ三相交流２００Ｖの出力電流を起電力発電モータの三相入力線に流して回転し、同時に発電された起電力の三相交流電流が起電力発電モータの出力線から出力します、４極起電力発電モータのステータ  ヨークの分布巻コイルを固定するスロット数は２４スロットと４８スロットが有ります、６極起電力発電モータのステータ  ヨークの分布巻コイルを固定するスロット数は３６スロットと７２スロットが有ります、４極と６極の起電力発電モータのロータ部には、永久磁石ロータ、電磁石ロータ、永久磁石挿入鉄芯ロータ、かご型鉄芯ロータ、の種類が有ります。起電力発電モータのステータ  ヨークの固定コイル配設を解りやすくするために、回転軸側から固定コイルを見て右回りで番号を付けました、４極起電力発電モータは１相、２相、３相、とも各相１番コイルから４番コイルとし、スロット番号も右回りの通し番号１番から２４番のスロット、および１番から４８番のスロットとし、６極起電力発電モータは１相、２相、３相、とも各相１番コイルから６番コイルとします、スロット番号も右回りの通し番号１番から３６番のスロット、および１番から７２番のスロットとします、コイル番号の奇数番号が入力線を繋いだ回転励磁コイルです、偶数番号が出力線を繋いだコイルで起電力発電コイルに成ります。４極と６極の起電力発電モータのステータ  ヨークに配設した固定コイルの１番コイルの決め方は、４極固定コイルのスロットは１番から２４番と１番から４８番のスロットが有り、６極固定コイルのスロットは１番から３６番と１番から７２番のスロットが有るが、４極で１番から２４番のスロットと６極で１番から３６番のスロットのところの、４極ステータ  ヨーク１相１番コイルと６極ステータ  ヨーク１相１番コイルはどのコイルを選択してもよい、選んだ１相１番コイルを回転軸側から見て左側スロットを１番として右回りでスロットに通し番号を付けて２相と３相の１番コイルを決めます、選んだ１相１番コイルは１番スロットと６番スロットに成ります、２相１番コイルは５番スロットと１０番スロットに成ります、３相１番コイルは９番スロットと１４番スロットに成ります、４極と６極の起電力発電モータの入力線は各相とも１番コイルにします、１番コイルの右側スロット末端導線を入力線に選んだら、ステータ  ヨークに配設した固定コイルは全コイル右巻き配線します、また、１番コイルの左側スロット末端導線を入力線に選んだら、ステータ  ヨークに配設した固定コイルは全コイル左巻き配線します。直列配線は固定コイルの左右を回転軸側から見た方向とし、４極で１番スロットから２４番スロットの１相入力線を繋いだコイルを直列配線すると、１番コイルは１番スロットと６番スロットで６番スロット末端導線を入力線として、１番スロットの末端導線を３番コイルの１３番スロットと１８番スロットの１８番スロット末端導線に結線、１３番スロット末端導線を中性点とする、この様に、コイルの巻き方向を変えずに入力線から流れた電気が順番にコイルを通過して中性点まで到達するようにする。４極起電力発電モータのステータ  ヨーク固定コイルの各相の配設と配線をコイル番号と４極で１番スロットから２４番スロットのところで、入力線を繋いだコイルを直列配線、出力線を繋いだコイルを直列配線とし、コイル配線は１相１番コイルの６番スロット末端導線を１相入力線とする、１番スロット末端導線を３番コイルの１８番スロット末端導線と結線、１３番スロット末端導線を１相中性点とする、１相２番コイルの１２番スロット末端導線を起電力発電コイルの中性点とする、７番スロット末端導線を４番コイルの２４番スロット末端導線と結線、１９番スロット末端導線を出力線とする。２相１番コイルの１０番スロット末端導線を２相入力線とする、５番スロット末端導線を３番コイルの２２番スロット末端導線と結線、１７番スロット末端導線を２相中性点とする、２相２番コイルの１６番スロット末端導線を起電力発電コイルの中性点とする、１１番スロット末端導線を４番コイルの４番スロット末端導線と結線、２３番スロット末端導線を２相出力線とします。３相１番コイルの１４番スロット末端導線を３相入力線とする、９番スロット末端導線を３番コイルの２番スロット末端導線と結線、２１番スロット末端導線を３相中性点とする、３相２番コイルの２０番スロット末端導線を起電力発電コイルの中性点とする、１５番スロット末端導線を４番コイルの８番スロット末端導線と結線、３番スロット末端導線を３相出力線とします。６極起電力発電モータのステータ  ヨーク固定コイルの各相の配設と配線をコイル番号と６極で１番から３６番のスロットのところで、入力線を繋いだコイルを直列配線、出力線を繋いだコイルを直列配線とし、コイル配線は１相１番コイルの１番スロット末端導線を１相入力線とする、６番スロット末端導線を３番コイルの１３番スロット末端導線と結線、１８番スロット末端導線を５番コイルの２５番スロット末端導線と結線、３０番スロット末端導線を１相中性点とします、１相２番コイルの７番スロット末端導線を起電力発電コイルの中性点とする、１２番スロット末端導線を４番コイルの１９番スロット末端導線に結線、２４番スロット末端導線を６番コイルの３１番スロット末端導線と結線、３６番スロット末端導線を１相出力線とします。２相１番コイルの５番スロット末端導線を２相入力線とします、１０番スロット末端導線を３番コイルの１７番スロット末端導線と結線、２２番スロット末端導線を５番コイルの２９番スロット末端導線と結線、３４番スロット末端導線を２相中性点とします、２相２番コイルの１１番スロット末端導線を起電力発電コイルの中性点とする、１６番スロット末端導線を４番コイルの２３番スロット末端導線と結線、２８番スロット末端導線を６番コイルの３５番スロット末端導線と結線、４番スロット末端導線を２相出力線とします。３相１番コイルの９番スロット末端導線を３相入力線とする、１４番スロット末端導線を３番コイルの２１番スロット末端導線と結線、２６番スロット末端導線を５番コイルの３３番スロット末端導線と結線、２番スロット末端導線を中性点とする、３相２番コイルの１５番スロット末端導線を起電力発電コイルの中性点とする、２０番スロット末端導線を４番コイルの２７番スロット末端導線と結線、３２番スロット末端導線を６番コイルの３番スロット末端導線と結線、８番スロット末端導線を３相出力線とします、４極と６���の起電力発電モータの出力線発電コイルの中性点はスター結線かデルタ結線、入力線回転励磁コイルは１相の中性点を２相の入力線と結合、２相の中性点を３相の入力線と結合、３相の中性点を１相の入力線と結合するデルタ結線と、中性点を三本束にしたスター結線がある。起電力の発生と出力の仕方は４極と６極の起電力発電モータは同じです、１相の入力線を繋いだコイルの回転励磁がゼロボルトに電圧降下中に、２相の入力線を繋いだコイルが回転励磁され、ロータが２相固定コイルまで回転この時に１相の出力線を繋いだコイルは起電力を発電して出力線方向へ流れ出力させる、２相、３相、も同じ回転と発電を連続して行い、安定した回転と安定した起電力が出力する、固定コイルの配設と配線の発明です。
【請求項２】
４極と６極の起電力発電モータのステータ  ヨークに配設した固定コイル、１相と３相が右巻コイルで２相が左巻きコイルの固定コイル配設と配線を、固定コイルの右側と左側は回転軸側から見た方向とします、固定コイル番号とスロット番号は右回りで付けます、４極と６極に配設した起電力発電モータ固定コイルの１相、２相、３相、には、４極で１番から２４番のスロットと１番から４８番のスロットが有る、６極で１番から３６番のスロットと１番から７２番のスロットが有りますが、４極で１番から２４番のスロットと６極で１番から３６番のスロットのところの、４極と６極のステータ  ヨークに配設した固定コイルの１相１番コイルに選んだコイルを、回転軸側から見て左側スロットが１番スロットに成りそこから右回りで４極は１番から２４番、６極は１番から３６番の通し番号をスロットに付けて、２相、３相の１番コイルを決めます、４極のステータ  ヨークと６極のステータ  ヨークの１相１番右巻きコイルは１番スロットと６番スロットのコイル、２相１番左巻きコイルは３番スロットと８番スロットのコイル、３相１番右巻きコイルは５番スロットと１０番スロットのコイルに成ります。４極起電力発電モータのところの固定コイルの配設と配線を、１番から２４番のスロットのところは、１相と３相が右巻きコイル配線で、２相が左巻きコイル配線は、１相１番コイルの１番スロットと６番スロットの６番スロット末端導線を１相入力線とする、１番スロット末端導線を３番コイルの１８番スロット末端導線に結線、１３番スロット末端導線を１相中性点とします、１相２番コイルの７番スロットと１２番スロットの１２番スロット末端導線を起電力発電コイルの中性点とする、７番スロット末端導線を４番コイルの２４番スロット末端導線と結線し１９番スロット末端導線を１相出力線とします。２相１番コイルの３番スロットと８番スロットの３番スロット末端導線を２相入力線とする、８番スロット末端導線を３番コイルの１５番スロット末端導線に結線、２０番スロット末端導線を２相中性点とします、２相２番コイルの９番スロットと１４番スロットの９番スロット末端導線を起電力発電コイルの中性点とする、１４番スロット末端導線を４番コイルの２１番スロット末端導線に結線、２番スロット末端導線を２相出力線とします。３相１番コイルの５番スロットと１０番スロットの１０番スロット末端導線を３相入力線とします、５番スロット末端導線を３番コイルの２２番スロット末端導線に結線、１７番スロット末端導線を３相中性点とします、３相２番コイルの１１番スロットと１６番スロットの１６番スロット末端導線を起電力発電コイルの中性点とする、１１番スロット末端導線を４番コイルの４番スロット末端導線に結線、２３番スロット末端導線を３相出力線とします。６極起電力発電モータのところの固定コイルの配設と配線を、６極で１番から３６番のスロットのところは、１相と３相が右巻きコイルで２相が左巻きコイル配線は、１相１番コイルの１番スロットと６番スロットの６番スロット末端導線を１相入力線とします、１番スロット末端導線を５番コイルの３０番スロット末端導線に結線、２５番スロット末端導線を３番コイルの１８番スロット末端導線と結線、���３番スロット末端導線を１相中性点とします、１相２番コイルの７番スロットと１２番スロットの１２番スロット末端導線を起電力発電コイルの中性点とする、７番スロット末端導線を６番コイルの３６番スロット末端導線に結線、３１番スロット末端導線を４番コイルの２４番スロット末端導線に結線、１９番スロット末端導線が１相出力線になる、２相１番コイルの３番スロットと８番スロットの３番スロット末端導線を２相入力線とします、８番スロット末端導線を３番コイルの１５番スロット末端導線と結線、２０番スロット末端導線を５番コイルの２７番スロット末端導線と結線、３２番スロット末端導線を２相中性点とする、２相２番コイルの９番スロットと１４番スロットの９番スロット末端導線を起電力発電コイルの中性点とする、１４番スロット末端導線を４番コイルの２１番スロット末端導線と結線、２６番スロット末端導線を６番コイルの３３番スロット末端導線と結線、２番スロット末端導線を２相出力線とします、３相１番コイルの５番スロットと１０番スロットの１０番スロット末端導線を３相入力線とします、５番スロット末端導線を５番コイルの３４番スロット末端導線と結線、２９番スロット末端導線を３番コイルの２２番スロット末端導線と結線、１７番スロット末端導線を３相中性点とする、３相２番コイルの１１番スロットと１６番スロットの１６番スロット末端導線を起電力発電コイルの中性点とする、１１番スロット末端導線を６番コイルの４番スロット末端導線と結線、３５番スロット末端導線を４番コイルの２８番スロット末端導線と結線、２３番スロット末端導線を出力線とします。
【請求項３】
４極と６極の起電力発電モータのステータ  ヨークに配設した固定コイルの、１相と３相が左巻きコイルで２相が右巻きコイルの固定コイル配設と配線を、固定コイルの右側と左側は回転軸側から見た方向とします、固定コイル番号とスロット番号も右回りでつけます、４極と６極のステータ  ヨークに配設した起電力発電モータ固定コイルの１相、２相、３相には、４極で１から２４番と１から４８番のスロットが有り、６極で１から３６番と１から７２番のスロットが有り、４極で１から２４番のスロットと６極で１から３６番のスロットのところの、４極と６極のステータ  ヨークに配設した固定コイルの１相１番コイルに選んだコイルを回転軸側から見て左側スロットが１番に成りそこから右回りで４極なら１番から２４番、６極なら１番から３６番とスロットに通し番号を付けて２相、３相の１番コイルを決めます、４極のステータ  ヨークと６極のステータ  ヨークの１相１番左巻きコイルは１番スロットと６番スロットのコイル、２相１番右巻きコイルは３番スロットと８番スロットのコイル、３相１番左巻きコイルは５番スロットと１０番スロットのコイルになる。４極起電力発電モータのところの配設と配線を４極で１番から２４番スロットのところは、１相と３相が左巻きコイルで２相が右巻きコイル配線は、１相１番コイルは１番スロットと６番スロットで１番スロット末端導線を１相入力線とします、６番スロット末端導線を３番コイルの１３番スロットの末端導線と結線、１８番スロット末端導線を１相の中性点とする、１相２番コイルは７番スロットと１２番スロットで７番スロット末端導線を起電力発電コイルの中性点とする、１２番スロット末端導線を４番コイルの１９番スロット末端導線と結線、２４番スロット末端導線を１相出力線とします、２相１番コイル３番スロットと８番スロットの８番スロット末端導線を２相入力線とします、３番スロット末端導線を３番コイルの２０番スロット末端導線と結線、１５番スロット末端導線が２相中性点とする、２相２番コイルは９番スロットと１４番スロットの１４番スロット末端導線を起電力発電コイルの中性点とする、９番スロット末端導線を４番コイルの２番スロット末端導線と結線、２１番スロット末端導線を２相出力線とします、３相１番コイルは５番スロットと１０番スロットの５番スロット末端導線が３相入力線とします、１０番スロット末端導線を３番コイルの１７番スロット末端導線と結線、２２番スロット末端導線を３相中性点とします、３相２番コイルは１１番スロットと１６番スロットの１１番スロット末端導線を起電力発電コイル中性点とする、１６番スロット末端導線を４番コイルの２３番スロット末端導線と結線、４番スロット末端導線を３相出力線とする。６極起電力発電モータのところの固定コイルの配設と配線を、６極の１番から３６番スロットのところは、１相と３相が左巻きコイル配線で、２相が右巻きコイル配線は、１相１番コイルは１番スロットと６番スロットの１番スロット末端導線を１相入力線とします、６番スロット末端導線を３番コイルの１３番スロット末端導線と結線、１８番スロット末端導線を５番コイルの２５番スロット末端導線と結線、３０番スロット末端導線を１相中性点とする、１��２番コイルは７番スロットと１２番スロットの７番スロット末端導線を起電力発電コイルの中性点とする、１２番スロット末端導線を４番コイルの１９番スロット末端導線と結線、２４番スロット末端導線を６番コイルの３１番スロット末端導線と結線、３６番スロット末端導線を１相出力線とします。２相１番コイルは３番スロットと８番スロットの８番スロット末端導線を１相入力線とします、３番スロット末端導線を５番コイルの３２番スロット末端導線と結線、２７番スロット末端導線を３番コイルの２０番スロット末端導線と結線、１５番スロット末端導線を２相中性点とします、２相２番コイルは９番スロットと１４番スロットの１４番スロット末端導線を起電力発電コイルの中性点とする、９番スロット末端導線を６番コイルの２番スロット末端導線と結線、３３番スロット末端導線を４番コイルの２６番スロット末端導線と結線、２１番スロット末端導線を２相出力線とします。３相１番コイルは５番スロットと１０番スロットの５番スロット末端導線を３相入力線とします、１０番スロット末端導線を３番コイルの１７番スロット末端導線に結線、２２番スロット末端導線を５番コイルの２９番スロット末端導線と結線、３４番スロット末端導線を３相中性点とする、３相２番コイルは１１番スロットと１６番スロットの１１番スロット末端導線を起電力発電コイルの中性点とする、１６番スロット末端導線を４番コイルの２３番スロット末端導線と結線、２８番スロット末端導線を６番コイルの３５番スロット末端導線と結線、４番スロット末端導線を３相出力線とします。
【請求項４】
請求項１、または、請求項２、または、請求項３に記載の逆起電力と起電力の発電モータの入力線と入力線の中性点、出力線と起電力発電の中性点を、モータ  ケースの外部に設置した入力端子台と出力端子台での配線の方法で、起電力発電モータと逆起電力発電モータとを選択出来る発電モータです、４極発電モータの固定コイルと６極発電モータの固定コイルとも同じ方法の端子台での配線です、入力線を繋いだ逆起電力発電と回転励磁コイルを直列配線して、入力線を入力端子台に１相、２相、３相、と結合したら１相の中性点を２相の入力線端子に結合、２相の中性点を３相の入力線端子に結合、３相の中性点を１相の入力線端子に結合して入力線のデルタ結線です、出力線を繋いだ起電力発電コイルを直列配線して、出力線を出力端子台に１相、２相、３相、と結合したら、出力線１相と２相と３相の中性点を三本束ねて結合してスター結線する、または、１相出力線の中性点を２相出力端子に結合、２相出力線の中性点を３相出力端子に結合、３相の出力線の中性点を１相の出力端子に結合して出力線のデルタ結線、この出力線のスター結線とデルタ結線での発電は起電力発電に成ります、また、出力線をデルタ結線すると１相の出力線を繋いだ固定コイルで発電した起電力が、２相の出力線固定コイルに入りコイル励磁するときに、２相の入力線を繋いだ固定コイルもインバータの三相交流電気が入り回転励磁したとき、２相の固定コイルに回転磁界が出来てロータの回転力が上る回転となる、出力線を繋いだ固定コイルで発電した起電力はロータの回転を補助しながら、デルタ結線部に繋いだ三相導線により負荷側に出力するために、スター結線した発電よりも発電量が下がります、出力線を繋いだ２相の起電力は出力線３相に入りロータの回転補助をして出力、出力線を繋いだ３相の起電力は出力線１相に入りロータの回転補助をして出力、この状態のコイル巻き方向は入力線コイルが右巻きなら、出力線コイルは左巻きに成りステータ  ヨークに回転磁界が出来て起電力が回転補助しながら出力する、また  デルタ結線した入力線とデルタ結線した出力線を端子台で三相導線を繋ぐには、１相と１相、２相と２相、３相と３相と同相同士を結線します、入力線にインバータから三相出力交流電気を流すと、入力線コイルと出力線コイルが三相導線で繋がれていますので、ともに固定コイルが回転励磁されてロータが強力な回転となり、入力線コイルと出力線コイルとも逆起電力が発電されて、入力線コイルはインバータ方向に流れ、出力線コイルはデルタ結線部に流れ端子台で繋いだ三相導線の逆起電力引き込み線により、入力線と出力線の逆起電力が出力線デルタ結線部に繋いだ三相出力導線で負荷側に流れます。